(57)【要約】  ＧＰＳ座標情報を利用した写真編集方法が開示される。本発明は使用者の端末機を通じて少なくとも一つ以上の写真ファイルを写真ファイル編集サーバーが受信する段階と、写真ファイル編集サーバーが使用者端末機から特定時間帯の写真ファイルの範囲を指定する段階と、写真ファイル編集サーバーが写真の日付、ＧＰＳ座標情報を抽出して特定時間帯の範囲に含まれる写真ファイルを含む段階と、写真ファイル編集サーバーが試案データベースに保存された背景試案の中で写真ファイルの抽出されたＧＰＳ座標情報と近接したＧＰＳ座標情報に設定された背景試案に選定された写真ファイルを配置する段階とを含む。
2020513626.tif 000002
【特許請求の範囲】
【請求項１】
複数の写真ファイルを一枚の写真に配置することができる構造を有する試案を保存した試案データベースを含む写真ファイル編集サーバーに接続されて写真ファイルを編集する方法において、
前記写真ファイル編集サーバーが使用者端末機から選択された少なくとも一つの写真ファイルを情報通信網を通じて受信する段階と、
前記写真ファイル編集サーバーが前記受信した少なくとも一つの写真ファイルの中で前記使用者端末機から特定時間帯に撮影された写真ファイルの範囲を指定する段階と、
前記写真ファイル編集サーバーが前記受信した少なくとも一つの写真ファイルに含まれた日付とＧＰＳ座標情報を抽出し、抽出された日付の中で前記指定された特定時間帯の範囲に含まれる写真ファイルを選定する段階と、
前記写真ファイル編集サーバーが前記試案データベースに保存された背景試案の中で前記抽出されたＧＰＳ座標情報と近接したＧＰＳ座標情報に設定された背景試案に前記選定された写真ファイルを配置して提供する段階とを含むことを特徴とするＧＰＳ座標情報を利用した写真ファイル編集方法。
【請求項２】
前記選定する段階は、
前記写真ファイル編集サーバーが前記指定された特定時間帯の範囲に含まれる写真ファイルの中で前記編集に用いられる写真ファイルを予め設定された選定基準条件によって自動に選定するかまたは前記使用者端末機を通じて選択された写真ファイルで選定することを特徴とする請求項1に記載のＧＰＳ座標情報を利用した写真ファイル編集方法。
【請求項３】
前記試案データベースは何れのＧＰＳ座標情報とマッチングさせて該当ＧＰＳ座標情報の場所を表現するイメージが何れの領域に含まれた背景試案が保存されており、
前記提供する段階は、前記抽出されたＧＰＳ座標情報の経度、緯度及び方向と最も近接したＧＰＳ座標情報を前記試案データベースから検索し、検索されたＧＰＳ座標情報にマッチングさせて保存された背景試案に前記選定された写真ファイルを配置することを特徴とする請求項1に記載のＧＰＳ座標情報を利用した写真ファイル編集方法。
【請求項４】
前記受信する段階は、ＧＰＳ受信機とカメラが設置された電子端末を通じて撮影された写真ファイルを前記使用者端末機から受信するか、ＧＰＳ受信機とカメラが設置された前記使用者端末機から撮影された写真ファイルを受信することを特徴とする請求項1に記載のＧＰＳ座標情報を利用した写真ファイル編集方法。
【請求項５】
前記提供する段階は、前記背景試案に写真ファイルが配置された写真を前記情報通信網を通じて前記使用者端末機に伝送することを含むことを特徴とする請求項1に記載のＧＰＳ座標情報を利用した写真ファイル編集方法。
【請求項６】
前記試案データベースは何れのＧＰＳ座標情報とマッチングさせて該当ＧＰＳ座標情報の場所を表現するイメージが含まれた背景試案が季節別に保存されており、
前記提供する段階は、前記抽出されたＧＰＳ座標情報と最も近接したＧＰＳ座標情報を前記試案データベースから検索し、検索されたＧＰＳ座標情報にマッチングさせて保存された背景試案の中で前記抽出された日付に基づいて決めた季節が反映された背景試案に前記選定された写真ファイルを配置することを特徴とする請求項1に記載のＧＰＳ座標情報を利用した写真ファイル編集方法。
【請求項７】
前記試案データベースは何れのＧＰＳ座標情報とマッチングさせて該当ＧＰＳ座標情報の場所を表現するイメージが含まれた背景試案と、前記背景試案の場所を説明するための案内情報とが保存されており、
前記提供する段階は、前記選定された写真ファイルが配置された背景試案の何れの領域に前記ＧＰＳ座標情報の場所を説明するための案内情報を提供することを特徴とする請求項1に記載のＧＰＳ座標情報を利用した写真ファイル編集方法。
【請求項８】
背景試案を保存しているデータ保存部を有する写真ファイル編集装置の写真ファイル編集方法において、
中央処理部が少なくとも一つの写真ファイルの中で特定時間帯に撮影された写真ファイルの範囲を指定する段階と、
前記中央処理部が前記少なくとも一つの写真ファイルに含まれた日付とＧＰＳ座標情報を抽出し、抽出された日付の中で前記指定された特定時間帯の範囲に含まれる写真ファイルを選定する段階と、
前記中央処理部がデータ保存部に保存された背景試案の中で前記抽出されたＧＳＰ座標情報と近接したＧＰＳ座標情報に設定された背景試案に前記選定された写真ファイルを配置して提供する段階とを含むことを特徴とするＧＰＳ座標情報を利用した写真ファイル編集方法。
【請求項９】
前記選定する段階は、前記中央処理部が前記指定された特定時間帯の範囲に含まれる写真ファイルを縮小イメージ画面に表示する段階と、
前記中央処理部が前記縮小イメージ画面に表示された写真ファイルの中で前記編集に用いられる写真ファイルを予め設定された選定基準条件によって自動的に選定するかまたは前記使用者端末機を通じて選択された写真ファイルで選定する段階とを含むことを特徴とする請求項８に記載のＧＰＳ座標情報を利用した写真ファイル編集方法。
【請求項１０】
前記データ保存部は何れのＧＰＳ座標情報とマッチングさせて該当ＧＰＳ座標情報の場所を表現するイメージが何れの領域に含まれた背景試案が保存されており、
前記提供する段階は、前記抽出されたＧＰＳ座標情報の経度、緯度及び方向と最も近接したＧＰＳ座標情報を前記試案データベースから検索し、検索されたＧＰＳ座標情報にマッチングさせて保存された背景試案に前記選定された写真ファイルを配置して画面上に表示することを特徴とする請求項９に記載のＧＰＳ座標情報を利用した写真ファイル編集方法。
【請求項１１】
前記データ保存部は何れのＧＰＳ座標情報とマッチングさせて該当ＧＰＳ座標情報の場所を表現するイメージが含まれた背景試案が季節別に保存されており、
前記提供する段階は、前記抽出されたＧＰＳ座標情報と最も近接したＧＰＳ座標情報を前記試案データベースから検索し、検索されたＧＰＳ座標情報にマッチングさせて保存された背景試案の中で前記抽出された日付に基づいて決まった季節が反映された背景試案に前記選定された写真ファイルを配置することを特徴とする請求項８に記載のＧＰＳ座標情報を利用した写真ファイル編集方法。
【請求項１２】
前記データ保存部は何れのＧＰＳ座標情報とマッチングさせて該当ＧＰＳ座標情報の場所を表現するイメージが含まれた背景試案と、前記背景試案の場所を説明するための案内情報とが保存されており、
前記提供する段階は、前記選定された写真ファイルが配置された背景試案の何れの領域に前記ＧＰＳ座標情報の場所を説明するための案内情報を提供することを特徴とする請求項８に記載のＧＰＳ座標情報を利用した写真ファイル編集方法。
【発明の詳細な説明】
【技術分野】
【０００１】
本発明はＧＰＳ座標情報を利用した写真ファイル編集方法に関し、より詳しくは、特定時間帯に撮影した撮影場所に関連した背景試案に写真ファイルを配置させることで、試案の選択を容易にし、背景試案に複数の写真ファイルが配置された写真によって使用者に臨場感と感動を与えることができるようにしたＧＰＳ座標情報を利用した写真ファイル編集方法に関する。
【背景技術】
【０００２】
デジタルカメラとカメラフォンなどのデジタル写真を撮影することができる多様な器機の登場とインターネットの大衆化によりこれに関連する様々な産業が韓国国内だけでなく世界市場で急激に成長している。
【０００３】
特に、デジタルカメラは撮影レンズによって鏡像された像をデジタル信号に変換させてメモリーに保存させることによってフィルムを要しない。
【０００４】
デジタルカメラはメモリーの容量が限定されており、多様な機能を提供することができないか、カメラ機能を熟知していない一般人にとって写真編集は困難である。
【０００５】
このような写真を編集することが難しいことを克服するために、様々な編集プログラム、例えばフォトショップ(登録商標)、アルバム専用プログラム及びアルバム自動編集プログラムが提供されている。
【０００６】
しかしながら、このような編集プログラムの中でフォトショップのような編集プログラムを利用すると、写真の完成度を向上させることができるが、複数の写真ファイルを一枚の写真に編集するのにたくさんの時間（例えば、１−３日）が必要となる。また、フォトショップの編集ツールに慣れていない初心者の場合編集ツールを習わなければならないという煩雑な問題がある。
【０００７】
また、アルバム専用プログラムを利用すると、写真を試案に配置した結果物を提供するが、使用者が様々なデザインに変更し、変更された試案に写真を配置しなければならないので写真の完成度を向上させることができるが、試案の変更にたくさんの時間（例えば、２−８時間）が必要となる。
【０００８】
また、アルバム自動編集プログラムを利用する場合、製作者が提供する試案のみ用いなければならなく、写真ファイルの個数が決まっていて、時間的に写真編集は早いが、決まった時間内で作業しなければならないため、多様性に劣り、完成度が低い。
【０００９】
また、このようなプログラムの利用時、複数の写真ファイルの中で使用者が所望の時間帯、例えば特定時間帯に撮影された写真ファイルを捜すのに時間が長くかかる。それにより、特定時間帯の写真ファイルを一枚の写真に配置する場合、撮影時点の記憶をいかして写真を選択しなければならないという不便がある。
【００１０】
そして、従来のデザインはイラスト、所定柄がある背景を利用してアルバムを編集することが大部分であるため、観光地や外出先（テーマパーク、古宮、公園など）で撮影した写真を所定柄がある背景試案、即ち写真と合わない背景試案に配置することで、写真の臨場感や感動が落ち、季節を考慮せず限定された試案を利用して写真の完成度及び満足度が低下する実情である。
【発明の概要】
【発明が解決しようとする課題】
【００１１】
本発明の目的は、特定時間帯に撮影した撮影場所に関連した背景試案に写真ファイルを配置させることで、試案の選択を容易にし、背景試案に複数の写真ファイルが配置された写真によって使用者に臨場感と感動を与えることができるようにしたＧＰＳ情報を利用した写真ファイル編集方法を提供することにその目的がある。
【課題を解決するための手段】
【００１２】
前記目的を達するために、本発明の一実施例によれば、複数の写真ファイルを一枚の写真に配置することができる構造を有する試案を保存した試案データベースを含む写真ファイル編集サーバーに接続されて写真ファイルを編集する方法であって、前記写真ファイル編集サーバーが使用者端末機から選択された少なくとも一つの写真ファイルを情報通信網を通じて受信する段階と、前記写真ファイル編集サーバーが前記受信された少なくとも一つの写真ファイルの中で前記使用者端末機から特定時間帯に撮影された写真ファイルの範囲を指定する段階と、前記写真ファイル編集サーバーが前記受信された少なくとも一つの写真ファイルに含まれた日付とＧＰＳ座標情報を抽出し、抽出された日付の中で前記指定された特定時間帯の範囲に含まれる写真ファイルを選定する段階と、前記写真ファイル編集サーバーが前記試案データベースに保存された背景試案の中で前記抽出されたＧＰＳ座標情報と近接したＧＰＳ座標情報に設定された背景試案に前記選定された写真ファイルを配置して提供する段階とを含むことを特徴とするＧＰＳ座標情報を利用した写真ファイル編集方法が提供される。
【００１３】
前記選定する段階は、前記写真ファイル編集サーバーが前記指定された特定時間帯の範囲に含まれる写真ファイルの中で前記編集に用いられる写真ファイルを予め設定された選定基準条件によって自動的に選定するかまたは前記使用者端末機を通じて選択された写真ファイルで選定することができる。
【００１４】
前記試案データベースは何れのＧＰＳ座標情報とマッチングさせて該当ＧＰＳ座標情報の場所を表現するイメージが何れの領域に含まれた背景試案が保存されており、前記提供する段階は、前記抽出されたＧＰＳ座標情報の経度、緯度及び方向と最も近接したＧＰＳ座標情報を前記試案データベースから検索し、検索されたＧＰＳ座標情報にマッチングさせて保存された背景試案に前記選定された写真ファイルを配置することができる。
【００１５】
前記受信する段階は、ＧＰＳ受信機とカメラが設置された電子端末を通じて撮影された写真ファイルを前記使用者端末機から受信するか、ＧＰＳ受信機とカメラが設置された前記使用者端末機から撮影された写真ファイルを受信することができる。
【００１６】
前記提供する段階は、前記背景試案に写真ファイルが配置された写真を前記情報通信網を通じて前記使用者端末機に伝送することを含むことができる。
【００１７】
前記試案データベースは何れのＧＰＳ座標情報とマッチングさせて該当ＧＰＳ座標情報の場所を表現するイメージが含まれた背景試案が季節別に保存され、前記提供する段階は、前記抽出されたＧＰＳ座標情報と最も近接したＧＰＳ座標情報を前記試案データベースから検索し、検索されたＧＰＳ座標情報にマッチングさせて保存された背景試案の中で前記抽出された日付に基づいて決まった季節が反映された背景試案に前記選定された写真ファイルを配置することができる。
【００１８】
前記試案データベースは何れのＧＰＳ座標情報とマッチングさせて該当ＧＰＳ座標情報の場所を表現するイメージが含まれた背景試案と、前記背景試案の場所を説明するための案内情報とが保存され、前記提供する段階は、前記選定された写真ファイルが配置された背景試案の何れの領域に前記ＧＰＳ座標情報の場所を説明するための案内情報を提供することができる。
【００１９】
本発明の他の実施例によれば、背景試案を保存しているデータ保存部を有する写真ファイル編集装置の写真ファイル編集方法であって、中央処理部が少なくとも一つの写真ファイルの中で特定時間帯に撮影された写真ファイルの範囲を指定する段階と、前記中央処理部が前記少なくとも一つの写真ファイルに含まれた日付とＧＰＳ座標情報を抽出し、抽出された日付の中で前記指定された特定時間帯の範囲に含まれる写真ファイルを選定する段階と、前記中央処理部がデータ保存部に保存された背景試案の中で前記抽出されたＧＳＰ座標情報と近接したＧＰＳ座標情報に設定された背景試案に前記選定された写真ファイルを配置して提供する段階とを含むことを特徴とするＧＰＳ座標情報を利用した写真ファイル編集方法が提供される。
【００２０】
前記選定する段階は、前記中央処理部が前記指定された特定時間帯の範囲に含まれる写真ファイルを縮小イメージ画面に表示する段階と、
前記中央処理部が前記縮小イメージ画面に表示された写真ファイルの中で前記編集に用いられる写真ファイルを予め設定された選定基準条件によって自動的に選定するかまたは前記使用者端末機を通じて選択された写真ファイルで選定する段階とを含むことができる。
【００２１】
前記データ保存部は何れのＧＰＳ座標情報とマッチングさせて該当ＧＰＳ座標情報の場所を表現するイメージが何れの領域に含まれた背景試案が保存され、前記提供する段階は、前記抽出されたＧＰＳ座標情報の経度、緯度及び方向と最も近接したＧＰＳ座標情報を前記試案データベースから検索し、検索されたＧＰＳ座標情報にマッチングさせて保存された背景試案に前記選定された写真ファイルを配置して画面上に表示することができる。
【００２２】
前記データ保存部は何れのＧＰＳ座標情報とマッチングさせて該当ＧＰＳ座標情報の場所を表現するイメージが含まれた背景試案が季節別に保存され、前記提供する段階は、前記抽出されたＧＰＳ座標情報と最も近接したＧＰＳ座標情報を前記試案データベースから検索し、検索されたＧＰＳ座標情報にマッチングさせて保存された背景試案の中で前記抽出された日付に基づいて決まった季節が反映された背景試案に前記選定された写真ファイルを配置することができる。
【００２３】
前記データ保存部は何れのＧＰＳ座標情報とマッチングさせて該当ＧＰＳ座標情報の場所を表現するイメージが含まれた背景試案と、前記背景試案の場所を説明するための案内情報とが保存され、前記提供する段階は、前記選定された写真ファイルが配置された背景試案の何れの領域に前記ＧＰＳ座標情報の場所を説明するための案内情報を提供することができる。
【発明の効果】
【００２４】
本発明の実施例によれば、特定時間帯に撮影した撮影場所に関連した背景試案に写真ファイルを配置させることで、試案の選択を容易にし、背景試案に複数の写真ファイルが配置された写真によって使用者に臨場感と感動を与えることができるという效果を奏する。特に、何れのＧＰＳ座標情報、即ち主要観光地の特徴を表現する背景試案に主要観光地で撮影された写真ファイルを配置することによって臨場感と季節などを考慮した多様なデザインが適用可能であり、誰もが容易にアルバムを作って活用することができる。
【図面の簡単な説明】
【００２５】
【図１】本発明の一実施例による写真ファイル編集システムを説明するためのブロック図である。
【図２】図１に示された写真ファイル編集サーバーを説明するためのブロック図である。
【図３】本発明の一実施例による写真ファイル編集システムでＧＰＳ座標情報を利用した写真ファイル編集方法を説明するための動作流れ図である。
【図４】本発明に適用される交換イメージファイル形式（ＥＸＩＦ）の属性情報を示した図面である。
【図５】本発明の他の実施例による写真ファイル編集装置を説明するためのブロック図である。
【図６】本発明の他の実施例による写真ファイル編集装置でＧＰＳ座標情報を利用した写真ファイル編集方法を説明するための動作流れ図である。
【図７】ＧＰＳ座標別背景試案に用いられるイメージを示した画面例示図である。
【図８ａ】本発明が適用される背景試案に写真ファイルが配置された画面を示した図面である。
【図８ｂ】本発明が適用される背景試案に写真ファイルが配置された画面を示した図面である。
【図８ｃ】本発明が適用される背景試案に写真ファイルが配置された画面を示した図面である。
【図９】背景試案に写真ファイルが配置された写真に案内情報が表示された画面を示した図面である。
【図１０】カメラの撮影方向別に得られる映像を示した図面である。
【図１１ａ】季節別に設定されている背景時間を示した図面である。
【図１１ｂ】季節別に設定されている背景時間を示した図面である。
【図１１ｃ】季節別に設定されている背景時間を示した図面である。
【図１１ｄ】季節別に設定されている背景時間を示した図面である。
【発明を実施するための形態】
【００２６】
以下、添付図面を参照して本発明の好ましい実施例について詳しく説明する。
【００２７】
本発明の一実施例による写真ファイル編集システムを図１及び図２を参照して説明すれば次の通りである。
【００２８】
図１は本発明の一実施例による写真ファイル編集システムを説明するためのブロック図であり、図２は図１に示された写真ファイル編集サーバーを説明するためのブロック図である。
【００２９】
図１を参照して説明すれば、本発明の実施例による写真ファイル編集システムは、情報の要請者である使用者端末機１００と、情報の供給者である写真ファイル編集サーバー３００と、使用者端末機１００と写真ファイル編集サーバー３００を有線または無線でインターフェースするための情報通信網２００とを含んで構成される。
【００３０】
本発明の実施例による写真ファイル編集システムは、売場、例えば、写真を編集する店、写真を現像する店または試案を提供する店に設置された売場用端末機４００をさらに含んで構成されることができる。このような売場用端末機４００は個人用コンピューターを含み、売場管理者によって製作された試案を写真ファイル編集サーバー３００に伝送することができる。また、売場用端末機４００は写真ファイル編集サーバー３００に写真ファイル編集を要請するか写真ファイルが配置される試案を写真ファイル編集サーバー３００からダウンロードすることもできる。
【００３１】
使用者端末機１００はノート・パンコンのような個人用コンピューターだけでなく無線インターネット通信が可能な移動通信端末機などを含むことで設定したが、本発明がこれに限定されるのではない。使用者端末機１００はＧＰＳ受信機とカメラが設置された電子端末を通じて撮影された写真ファイルを受信するか、ＧＰＳ受信機とカメラが設置されることができる。
【００３２】
特に、使用者端末機１００はアルバムの製作または写真ファイルの編集を要請するために複数の写真ファイルを情報通信網２００を通じて写真ファイル編集サーバー３００に伝送する。このような使用者端末機１００はＧＰＳ受信機が装着されたデジタルカメラのようなデジタル撮影器機から撮影された写真ファイルを通信ケーブル、例えばＵＳＢ（Ｕｎｉｖｅｒｓａｌ Ｓｅｒｉａｌ  Ｂｕｓ）を通じて受信することができる。使用者端末機１００にＧＰＳ受信機及びカメラが設置されて写真ファイルが複数保存された場合、使用者端末機１００に保存された複数の写真ファイルを情報通信網２００を通じて直接写真ファイル編集サーバー３００に送ることができる。
【００３３】
情報通信網２００は有線で接続することができるＴＣＰ／ＩＰプロトコルと無線で接続することができるＷＡＰプロトコルなどを用いたインターネット網、内部ネットワークなどを含む。ここで、使用者端末機１００及び売場用端末機４００は情報通信網２００（例えば、インターネット網）を通じて写真ファイル編集サーバー３００に連結されている。
【００３４】
写真ファイル編集サーバー３００は多様な配置構造を有する試案を保存した試案データベース３０５を含み、情報通信網２００を通じて通信接続された使用者端末機１００から写真ファイルを受信し、受信された写真ファイルの中で使用者端末機１００から選択または入力された特定時間帯の写真ファイルの中で選定された写真ファイルを特定時間帯に撮影した撮影場所と似合う背景試案に配置して使用者端末機１００に提供する。
【００３５】
試案データベース３０５にはＧＰＳ座標情報別に該当ＧＰＳ座標情報が位置した場所の背景を表現する背景試案が保存されている。また、試案データベース３０５には季節、テーマ及びイベントなどを表現するための背景試案がさらに保存されることができる。また、試案データベース３０５には何れのＧＰＳ座標情報とマッチングさせて該当ＧＰＳ座標情報の場所を表現するイメージが含まれた背景試案が季節別に保存されることができる。さらに、試案データベース３０５には何れのＧＰＳ座標情報とマッチングさせて該当ＧＰＳ座標情報の場所を表現するイメージが含まれた背景試案と、前記背景試案の場所を説明するための案内情報とが保存されることができる。
【００３６】
図２を参照してさらに説明すれば、写真ファイル編集サーバー３００は受信モジュール３１、写真ファイル配置モジュール３２０及び伝送モジュール３３０を含む。
【００３７】
受信モジュール３１０は使用者端末機１００からアルバムの製作または写真編集に用いられる複数の写真ファイルを受信する。このように受信された写真ファイルは写真ファイルデータベース３０７に一時的に保存される。この時、写真ファイルの個数は一枚の写真にデザインされる写真ファイルの個数であるか、またはアルバムを製作する際に所望のページ数に配置させる写真ファイルの個数であることができるが、本発明はこれに限定されるのではない。
【００３８】
また、受信モジュール３１は売場用端末機４００からＧＰＳ座標情報とともに背景試案を受信することができる。このように受信された背景試案は試案データベース３０５に保存される。また、売場用端末機４００から編集に用いられる写真ファイルを受信することもできる。
【００３９】
写真ファイル配置モジュール３２０は受信モジュール３１０を通じて受信された写真ファイルの中で特定時間帯に撮影された写真ファイルの中で選定された写真ファイルを撮影された場所の背景を表現した背景試案に配置する。ここで、背景試案は写真ファイルの選択とともに使用者端末機１００から選択されることもできるが、自動的に選択されることができる。
【００４０】
さらに説明すれば、写真ファイル配置モジュール３２０は、抽出モジュール３２１、整列モジュール３２２、写真ファイル選定モジュール３２３及び背景試案決定モジュール３２４を含む。
【００４１】
抽出モジュール３２１は受信モジュール３１０によって受信された写真ファイルの詳細情報、即ちデジタルカメラが採択しているＪＰＥＧ（Ｊｏｉｎｔ  Ｐｈｏｔｏｇｒａｐｈｉｃ  Ｅｘｐｅｒｔｓ  Ｇｒｏｕｐ）属性情報標準である交換イメージファイル形式（ＥＸＩＦ：Ｅｘｃｈａｎｇｅａｂｌｅ  Ｉｍａｇｅ  Ｆｉｌｅ  Ｆｏｒｍａｔ、以下「ＥＸＩＦ」とする）の属性情報の中で原本日付及びＧＰＳ座標情報を抽出する。このＥＸＩＦの属性情報は図４に示すようなカメラ製造社（Ｍａｋｅｒ）、カメラモデル（Ｍｏｄｅｌ）、イメージエディタ（Ｓｏｆｔｗａｒｅ）、原本日付（Ｄａｔｅ／ｔｉｍｅ  ｏｒｉｇｉｎａｌ(ａ)）、ＥＸＩＦバージョン（ＥＸＩＦ  ｖｅｒｓｉｏｎ）、撮影した日付（Ｓｈｏｏｔ  Ｄａｔｅ  ｔｉｍｅ）、ウェブに転送された写真の実際大きさ（Ｉｍａｇｅ Ｓｉｚｅ）、露出時間（Ｅｘｐｏｓｕｒｅ  Ｔｉｍｅ）、撮影プログラム（Ｅｘｐｏｓｕｒｅ  Ｐｒｏｇｒａｍ）、レンズ焦点距離（Ｆｏｃａｌ  Ｌｅｎｇｔｈ）、絞り開放数値（Ｆ−Ｎｕｍｂｅｒ）、フラッシュ使用有無、図４のｂに示された経度及び緯度と、図４のｃに示された方向を含むＧＰＳ座標情報などの詳細な付加情報である。
【００４２】
ここで、ＪＰＥＧのＥＸＩＦ属性情報フォーマットはＧＰＳ受信機が設置されたデジタルカメラが用いられることで広く知られており、ＥＸＩＦ属性情報を確認することができるフリーウェアが大衆化されているのでＥＸＩＦ属性情報で原本日付及びＧＰＳ座標情報を読み取ることができる簡単なコーディングだけでも原本日付及びＧＰＳ座標情報をそれぞれ抽出することができる。
【００４３】
撮影した日付は一例として年／月／日、午前または午後／時間／分／秒の順で記載されることができる。一例として、図４のａで確認することができるように、２００６−０９−０１  ＰＭ４：０２：０２で表現されることができる。
【００４４】
また、ＧＰＳの情報の表現の場合、ＧＰＳ  Ｌａｔｉｔｕｄｅ、ＧＰＳ  Ｌｏｎｇｉｔｕｄｅ  Ｒｅｆｅｒｅｎｃｅ、ＧＰＳ  Ｌｏｎｇｉｔｕｄｅなどが表現されることができ、図４のｂで確認されることができるように、一例としてそれぞれ３５．３４`４８．０５`、Ｅａｓｔ  ｌｏｎｇｉｔｕｄｅ、１２６．４０`４．８のように表現されることができる。
【００４５】
また、図示された方向のＧＰＳ座標情報はＧＰＳ  Ｉｍａｇｅ  Ｄｉｒｅｃｔｉｏｎで表現されることができ、図４のｃで確認することができるように、一例として３０７．１７３で表現されることができる。
【００４６】
整列モジュール３２２は抽出モジュール３２１によって抽出された日付に基づいて写真ファイルを昇順または降順に整列する。
【００４７】
写真ファイル選定モジュール３２３は抽出モジュール３２１によって抽出された日付に基づいて使用者端末機１００から設定された特定時間帯に撮影された写真ファイルの時間範囲に含まれる写真ファイルの中でアルバム製作または写真編集に用いられる写真ファイルを選定する。
【００４８】
より詳しく説明すれば、写真ファイル選定モジュール３２３は特定時間帯に撮影された写真ファイルの中で予め設定された選定基準条件によってアルバム製作または写真編集に用いられる写真ファイルを自動的に選定するか、使用者端末機１００から自動に選定された写真ファイルを変更するか、または使用者端末機１００から整列された写真ファイルを受信して所望の写真ファイルを選択してアルバム製作または写真編集に用いられる写真ファイルを手動で選定することができる。
【００４９】
このように選定された写真ファイルは背景試案決定モジュール３２４によって決められた背景試案に配置される。
【００５０】
背景試案決定モジュール３２４は背景試案に配置される特定時間帯に含まれる写真ファイルのＧＰＳ座標情報に基づいて最も近接したＧＰＳ座標情報を試案データベース３０５から検索し、検索されたＧＰＳ座標情報に設定された背景試案を特定時間帯に含まれた写真ファイルの背景時間に決める。この時、背景試案は使用者端末機１００から使用者の趣向によって選択された背景試案であるか、サーバー管理者によって採択された背景試案で決めることができるが、好ましくは特定時間帯に撮影した撮影場所と似合う背景試案が決められるようにして使用者に写真の臨場感や感動を与えることができる。特に、観光地や外出先（テーマパーク、古宮、公園など）で撮影した写真と似合う背景試案に配置された複数の写真ファイルを通じて背景試案だけでも旅先の場所や外出先の場所を容易に識別することができる。
【００５１】
また、背景試案決定モジュール３２４は、図１０に示したように、カメラの撮影方向によって得られる映像の差がある点を勘案して、ＧＰＳ座標情報に含まれた方向と最も近い方向の背景試案を決めることができる。即ち、背景試案決定モジュール３２４は、ＧＰＳ座標情報に含まれた位置だけでなく方向まで考慮して背景試案を決める。
【００５２】
さらに、背景試案決定モジュール３２４はＥＸＩＦ情報の中で日付を利用して該当日付が含まれる季節に設定されている背景試案を決めるか、季節別に複数の背景試案が設定されている場合、該当日付と最も近接した背景時間帯を決める。
【００５３】
背景試案決定モジュール３２４は、図１１ａ〜図１１ｄに示したように、同じ撮影場所（慶会桜）であっても、図１１ａに示された春の背景試案、図１１ｂに示された夏の背景試案、図１１ｃに示された秋の背景試案及び図１１ｄに示された冬の背景試案の中で一つの背景試案を決める。
【００５４】
例えば、ＥＸＩＦ情報に含まれた位置が慶会桜の座標情報であり、ＥＸＩＦに含まれた日付が２０１５年３月１０である場合、背景試案決定モジュール３２４は、図１１ａ〜図１１ｄの中で該当日付（３月  １０日）の季節の春にあたる背景試案つまり図１１ａに決め、春にあたる背景試案の中でも日付と最も近接した背景試案を決めることができる。
【００５５】
本実施例では、ＥＸＩＦ情報に含まれた日付とＧＰＳ座標情報に含まれた位置及び方向を基盤として背景試案を決めることで説明しているが、ＥＸＩＦ情報に含まれた日付の天気情報を収集して天気に合う背景試案を決めることができ、写真ファイルに反映される写真ファイルの個数によってサーバー管理者によって採択された試案を背景試案に決めることができることは勿論である。
【００５６】
写真ファイル配置モジュール３２０は写真ファイル選択モジュール３２３及び背景試案決定モジュール３２４によって特定時間帯に撮影された複数の写真ファイルを背景時間に配置する。このような写真ファイル配置モジュール３２０は試案の配置構造に合わせて写真ファイルの大きさを調整して配置する。
【００５７】
この時、選択された背景試案以外にも予備試案に写真ファイルを配置する。予備試案に配置される写真ファイルは写真ファイル選定モジュール３２３によって選択された写真ファイルであるか選択された写真ファイルを基準として予め決めた時間（例えば、１０分）内の写真ファイルであるか、予め決めた時間（例えば、１０分）以後の写真ファイルであってもよい。
【００５８】
このように背景試案に写真ファイルを配置すれば伝送モジュール３３０は背景試案に配置された写真ファイルを使用者端末機１００に伝送する。また、伝送モジュール３３０は予備試案に配置された写真ファイルも使用者端末機１００に伝送する。
【００５９】
このような構成を有する本発明の実施例による写真ファイル編集システムでＧＰＳ座標情報を利用した写真ファイル編集方法を図３を参照して説明すれば次の通りである。
【００６０】
図３は本発明の一実施例による写真ファイル編集システムでＧＰＳ座標情報を利用した写真ファイル編集方法を説明するための動作流れ図を示す。
【００６１】
図３によれば、写真ファイル編集サーバー３００はＧＰＳ座標情報別に場所の背景を表現する背景試案が設定された試案データベース３０５を予め構築しておいた状態である（Ｓ１０１）。試案データベース３０５に保存された背景試案は複数の写真ファイルを一枚の写真に配置することができる構造を有し、図７に示したように、撮影した場所の臨場感と似合う背景試案が設定されている。
【００６２】
写真ファイル編集サーバー３００は情報通信網２００を通じて通信接続された使用者端末機１００からアルバム製作または写真編集のための複数の写真ファイルを受信する（Ｓ１０３）。この時、受信された写真ファイルは一枚の写真に用いられる写真ファイルであるか、アルバムの製作時にページ別背景試案に用いられる写真ファイルで、写真ファイルデータベース３０７に保存される。
【００６３】
写真ファイル編集サーバー３００に使用者端末機１００からアルバム製作または写真の編集を所望する特定時間帯（例えば、２０１６年  ５月１日から２１０６年５月５日）が入力される（Ｓ１０５）。
【００６４】
写真ファイル編集サーバー３００は前述したＳ１０３段階で受信した複数の写真ファイルそれぞれに含まれたＥＸＩＦの属性情報の中で日付とＧＰＳ座標情報を抽出する（Ｓ１０７）。前述したＳ１０７段階は必ずＳ１０５段階以後に行われるのではなく、前述したＳ１０３段階以後に行われたり、後述するＳ１０９段階以前に行われば具現可能である。
【００６５】
写真ファイル編集サーバー３００は特定時間帯の写真ファイルから抽出されたＧＰＳ座標情報と近接したＧＰＳ座標情報に設定された背景試案を試案データベース３０５から検索して決める（Ｓ１０９）。
【００６６】
ここでは、背景試案を決める時、ＧＰＳ座標情報に近接したＧＰＳ座標情報に設定された背景試案を決めることで説明しているが、ＧＰＳ座標情報だけでなく日付が含まれる季節または日付と近い背景試案を決めることが好ましい。
【００６７】
その後、写真ファイル編集サーバー３００は決まった背景試案に抽出された日付に基づいて特定時間帯に含まれる写真ファイルの中で自動または使用者端末機１００を通じて手動的に選定された写真ファイルを配置する（Ｓ１１１）。
【００６８】
写真ファイル編集サーバー３００は写真ファイルが背景試案に配置された写真、即ち一枚の写真またはアルバムの一ページまたは二つのページにわたって配置される写真を使用者端末機に伝送する（Ｓ１１３）。
【００６９】
このようにすることによって、特定時間帯に撮影した写真ファイルを特定時間帯に撮影した場所の背景を表現する背景試案に配置させて提供することでアルバム製作を要請した使用者または写真の編集を要請した使用者に写真の臨場感と感動を倍加させることができる。また、アルバムの製作時に特定時間帯に撮影された写真ファイルを使用者の気に入る背景試案に配置させて確認するまでかかる時間を短縮させることができる。
【００７０】
図５は本発明の他の実施例による写真ファイル編集装置を説明するためのブロック図である。
【００７１】
図５によれば、本発明の他の実施例による写真ファイル編集装置は、本発明に係るサービスが行われることができるように情報を入力する情報入力部１１と、本発明に係る情報を送受信するインターフェース部１２と、本発明に係る情報を表示する表示部１３と、本発明に係る情報が保存されているデータ保存部１４と、特定時間帯の写真ファイルを特定時間帯に撮影した撮影場所の背景を表現する背景試案に配置して画面に表示する中央処理部１５とを含んで構成される。
【００７２】
本発明の他の実施例による写真ファイル編集装置はＧＰＳ受信機及びカメラが設置された移動通信端末機であってもよい。
【００７３】
情報入力部１１は編集に用いられる写真ファイルを入力する手段である。この写真ファイルはＧＰＳ受信機が設置されたデジタル撮影器機または移動通信端末機に保存された写真ファイルである。
【００７４】
また、情報入力部１１に写真ファイルを選択するための制御命令、背景試案を選択するための制御命令が入力される。また、情報入力部１１にアルバム製作または写真編集を所望する特定時間帯の写真ファイルを指定するための範囲が入力される。
【００７５】
インターフェース部１２は背景試案を提供する試案提供サーバー（図示しない）または写真ファイル編集サーバー（図１）３００から受信された背景試案を中央処理部１５に提供する。ここで、背景試案は複数の写真ファイルを多様に配置することができる構造で、その構造に写真ファイルの大きさも調整されて配置される。背景試案はＧＰＳ座標情報の場所を表現することができる多様な構造の配置構造で、その配置構造に撮影場所を識別したり撮影場所を間接的に感じることができるイメージが何れの領域に含まれるか、図７に示したようにＧＰＳ座標情報の場所を撮影したイメージが含まれることができる。図７に示されたイメージの場合、イメージに重なるように複数枚の写真ファイルが配置されることができる。
【００７６】
データ保存部１４はインターフェース部１２を通じて受信された背景試案を保存する。また、データ保存部１４はアルバム製作または写真編集に用いられる写真ファイルを一時的に保存する。
【００７７】
中央処理部１５は写真ファイルに含まれたＥＸＩＦの属性情報で原本日付及びＧＰＳ座標情報を抽出し、抽出された日付を基準として写真ファイルを整列し、整列された写真ファイルの中で特定時間帯に含まれる写真ファイルを縮小イメージ画面に表示してそれと同時に特定時間帯に含まれた写真ファイルのＧＰＳ座標情報に設定されている背景試案をデータ保存部１４で検索し、検索された背景試案に自動または手動で選定された写真ファイルを配置させて画面上に表示する。
【００７８】
より詳しく説明すれば、中央処理部１５は情報入力部１１を通じて入力された写真ファイルに含まれたＥＸＩＦの属性情報の中で原本日付及びＧＰＳ座標情報をそれぞれ抽出する。
【００７９】
その後、中央処理部１５は抽出された日付に基づいてアルバムの製作または写真の編集のために所望の特定時間帯の写真ファイルを選定し、選定された写真ファイルの中で編集に用いられる写真ファイルを予め設定された選定基準条件によって自動に選定するかまたは情報入力部１１を通じて選択されて手動で選定する。予め設定された選定基準条件は鮮かな写真ファイル、写真ファイルの大きさなどが含まれることができる。
【００８０】
中央処理部１５はデータ保存部１４に保存された背景試案を表示部１３上に表示し、表示された背景試案の中で写真ファイルが適用される背景試案を情報入力部１１を通じて再設定することができる。中央処理部１５は使用者の要請によって背景試案を自動に設定する場合、写真ファイルのＧＰＳ座標情報に含まれた位置、方向、そして該当写真ファイルの日付と近い背景試案に設定し、手動設定の要請がある場合、使用者の趣向に合わせて所望の背景試案を設定することができる。
【００８１】
中央処理部１５は自動または手動で設定された背景試案に写真ファイルを配置して表示部１３上に表示する。この時、選択された背景試案に配置された写真ファイルは予め指定された表示領域、即ち図８のｃに示されたような領域に表示する。図８のａには例えば選定された  ３つの写真ファイルを示し、図８のｂは選定された写真ファイルが適用される背景試案を示し、図８のｃは図８のａに示された写真ファイルが図８のｂに示された背景試案に配置された写真を示す。
【００８２】
表示部１３に表示されるＵＩ（Ｕｓｅｒ  Ｉｎｔｅｒｆａｃｅ）は、図８のｃに示したように、試案画面ａ、予備試案画面ｂ、写真ファイルを予め見る縮小イメージ（Ｔｈｕｍｂｎａｉｌ、以下「サムネイル」とする）画面ｃで構成され、試案画面は情報入力部１１を通じて選択された背景試案に配置された写真ファイルを予め指定された領域に表示する部分でサムネイル形態の写真ファイルの中の一つのファイルである。予備試案画面は試案画面に表示された写真ファイルやその周辺に他の写真ファイルを予め決まった予備試案に配置して表示した部分である。縮小イメージ画面は試案画面及び予備試案に位置した写真ファイルがどの位置にあるかを知らせることができる。
【００８３】
また、中央処理部１５は背景試案に選定された写真ファイルが配置され、何れの領域にＧＰＳ座標情報の場所を説明するための案内情報を図９に示したように提供することができる。
【００８４】
このようにすることで、写真ファイル編集サーバーと接続されなくても特定時間帯に撮影された撮影場所を表現することができる背景試案に特定時間帯に撮影した写真ファイルを配置して提供するので、写真の臨場感をさらに感じらせることができる。
【００８５】
このような構成を有する本発明の他の実施例による写真ファイル編集装置でＧＰＳ座標情報を利用した写真ファイル編集方法を説明すれば次の通りである。
【００８６】
まず、中央処理部１５はＧＰＳ座標情報別場所の背景を表現する背景試案をデータ保存部１４に予め保存しておいた状態である（Ｓ２０１）。この時、背景試案は写真ファイルを配置するための構造で、一枚の写真に複数の写真ファイルを配置することができる。
【００８７】
本実施例では背景試案を撮影場所の特徴を表現して写真のリアリティーと感動を感じらせることができるようにＧＰＳ座標別場所の背景を表現したイメージが含まれる。
【００８８】
中央処理部１５は情報入力部１１を通じて写真ファイルが入力される（Ｓ２０３）。写真ファイルが入力される前に、中央処理部１５は写真ファイル編集サーバー３００（図１）から写真編集のためのプログラム（例えば、アプリ）をダウンロードし、ダウンロードしたプログラムを実行すれば、アルバム製作または写真編集のためのメイン画面が画面上に表示される。メイン画面上でアルバム製作または写真編集が要請されると、写真ファイルが保存されたフォルダの位置を選択して写真ファイが入力されたりまたは複数の写真ファイルが入力されることができる。
【００８９】
その後、中央処理部１５にアルバム製作または写真編集を所望する特定時間帯が入力される（Ｓ２０５）。
【００９０】
中央処理部１５は情報入力部１１を通じて入力された写真ファイルに含まれたＥＸＩＦの属性情報の中で日付とＧＰＳ座標情報を抽出する（Ｓ２０７）。ここでは、特定時間帯が入力された後に写真ファイルに含まれた日付とＧＰＳ座標情報を抽出する順序で説明しているが、本発明は必ずその順に制限されるのではなく、後述するＳ２０９段階で特定時間帯を入力し特定時間帯の写真ファイルに含まれたＥＸＩＦの属性情報の中で日付とＧＰＳ座標情報を抽出すれば具現可能である。
【００９１】
中央処理部１５は抽出された日付に基づいて特定時間帯に含まれた写真ファイルのＧＰＳ座標情報を通じて背景試案を決める（Ｓ２０９）。背景試案は特定時間帯に含まれた写真ファイルのＧＰＳ座標情報と近接したＧＰＳ座標情報に設定された背景試案に、データ保存部１５に保存されたＧＰＳ座標情報別背景試案を参照して特定時間帯に撮影した場所の背景を表現する背景試案に決めるか、ＧＰＳ座標情報と近接したＧＰＳ座標情報でありながら日付が含まれた季節が反映された背景試案を決めることができる。
【００９２】
中央処理部１５は決まった背景試案に特定時間帯に写真ファイルの中で選定された写真ファイルを配置して画面上に表示する（Ｓ２１１）。ここでは、決まった背景試案に選定された写真ファイルを配置して表示することで説明しているが、抽出された日付を基準として決まった季節が反映された背景試案に選定された写真ファイルを配置することもでき、さらに、背景試案に選定された写真ファイルが配置された写真の何れの領域に撮影場所に対応するＧＰＳ情報の場所を説明するための案内情報をさらに提供することができる。
【００９３】
それによって撮影した撮影場所の背景を表現した背景時間に写真ファイルを配置させて画面上に表示することで写真の臨場感及び感動を与えることができる。
【００９４】
以上の本発明は前述された各種実施例によって限定されず、当業者によって多様に変形及び変更されることができ、これは特許請求範囲で定義される本発明の主旨と範囲に含まれる。
【産業上の利用可能性】
【００９５】
本発明はＧＰＳ座標情報を利用した写真ファイル編集方法で特定時間帯に撮影した撮影場所に関連した背景試案に写真ファイルを配置させて使用者に臨場感と感動を与えることができる。
【図１】
2020513626.tif 000003
【図２】
2020513626.tif 000004
【図３】
2020513626.tif 000005
【図４】
2020513626.tif 000006
【図５】
2020513626.tif 000007
【図６】
2020513626.tif 000008
【図７】
2020513626.tif 000009
【図８ａ】
2020513626.tif 000010
【図８ｂ】
2020513626.tif 000011
【図８ｃ】
2020513626.tif 000012
【図９】
2020513626.tif 000013
【図１０】
2020513626.tif 000014
【図１１ａ】
2020513626.tif 000015
【図１１ｂ】
2020513626.tif 000016
【図１１ｃ】
2020513626.tif 000017
【図１１ｄ】
2020513626.tif 000018
【国際調査報告】
2020513626.tif 000019
2020513626.tif 000020
2020513626.tif 000021
2020513626.tif 000022